(57)【要約】本発明は識別情報生成方法を公開する。前記方法は、端末がサーバーから送信されたデータ採集指令を受信したとき、前記データ採集指令に基づいてデータを採集するステップと、採集された前記データを記憶するとともに、前記サーバーから識別情報生成規則が送信されるよう、前記データを前記サーバーにアップロードするステップと、前記サーバーから送信された識別情報生成規則を受信したとき、前記データと前記識別情報生成規則に基づいて前記端末の識別情報を生成するステップと、生成された前記識別情報を記憶して、その後アプリケーションのインストール指令が検出されたとき記憶されている前記識別情報が現在の識別情報として直接用いられるようにするステップとを含む。本発明は識別情報生成装置、機器およびコンピュータ読み取り可能記憶媒体をさらに公開する。本発明において、サーバーから送信された識別情報生成規則と端末が採集したデータとが変化しないとき、取得された識別情報は変化しないので、識別情報の生成の安定性を確保することができる。
2019501427.tif 000002
【特許請求の範囲】
【請求項１】
識別情報生成方法であって、
端末がサーバーから送信されたデータ採集指令を受信したとき、前記データ採集指令に基づいてデータを採集するステップと、
採集した前記データを記憶するとともに、前記サーバーから識別情報生成規則が送信されるよう、前記データを前記サーバーにアップロードするステップと、
前記サーバーから送信された識別情報生成規則を受信したとき、前記データと前記識別情報生成規則に基づいて、前記端末の識別情報を生成するステップと、
生成された前記識別情報を記憶して、その後アプリケーションのインストール指令が検出されたとき、記憶されている前記識別情報が現在の識別情報として直接用いられるようにするステップとを含み、送信された前記識別情報生成規則が変化していないとき、前記識別情報を変化させないことを特徴とする識別情報生成方法。
【請求項２】
採集されたデータが端末ＭＡＣアドレスである場合、前記サーバーから送信された識別情報生成規則を受信したとき、前記データと前記識別情報生成規則に基づいて、前記端末の識別情報を生成する前記ステップは、
前記識別情報生成規則が端末ＭＡＣアドレスを直接用いることである場合、前記端末ＭＡＣアドレスを前記端末の識別情報として用いることと、
前記識別情報生成規則が端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成することを含むことを特徴とする請求項１に記載の識別情報生成方法。
【請求項３】
前記識別情報生成方法は、前記サーバーから送信された識別情報生成規則を受信したとき、前記データと前記識別情報生成規則に基づいて前記端末の識別情報を生成する前記ステップの後に、前記端末が、生成した前記識別情報と受信した前記識別情報生成規則とを関連付けて記憶するステップをさらに含むことを特徴とする請求項１に記載の識別情報生成方法。
【請求項４】
前記識別情報生成方法は、前記端末が生成した前記識別情報と受信した前記識別情報生成規則とを関連付けて記憶するステップの後に、
前記サーバーから新たに識別情報生成規則が送信されたことを検出したとき、新たに送信された前記識別情報生成規則と記憶されている識別情報生成規則とが整合するか否かを判断するステップと、
新たに送信された前記識別情報生成規則と記憶されている識別情報生成規則とが整合した場合、記憶されている識別情報生成規則に関連付けられた識別情報を現在の識別情報として直接用いるステップとをさらに含むことを特徴とする請求項３に記載の識別情報生成方法。
【請求項５】
前記識別情報生成方法は、新たに送信された前記識別情報生成規則と記憶されている識別情報生成規則とが整合するか否かを判断する前記ステップの後に、
新たに送信された前記識別情報生成規則と記憶されている識別情報生成規則とが整合しない場合、新たに送信された前記識別情報生成規則に基づいて、新しい識別情報を生成するステップと、
新しい識別情報と新たに送信された前記識別情報生成規則とを関連付けて記憶するとともに、新しい識別情報を現在の識別情報として用いるステップとをさらに含むことを特徴とする請求項４に記載の識別情報生成方法。
【請求項６】
識別情報生成装置であって、
サーバーから送信されたデータ採集指令を受信したとき、前記データ採集指令に基づいてデータを採集する採集モジュールと、
採集した前記データを記憶する記憶モジュールと、
前記サーバーから識別情報生成規則が送信されるよう、前記データを前記サーバーにアップロードするアップロードモジュールと、
前記サーバーから送信された識別情報生成規則を受信したとき、前記データと前記識別情報生成規則に基づいて前記端末の識別情報を生成する生成モジュールと、
さらに、生成された前記識別情報を記憶させる前記記憶モジュールと、
アプリケーションのインストール指令が検出されたとき、記憶されている前記識別情報を現在の識別情報として直接用いる処理モジュールとを含み、送信された前記識別情報生成規則が変化しないとき、前記識別情報を変化させないことを特徴とする識別情報生成装置。
【請求項７】
採集されたデータが端末ＭＡＣアドレスである場合、前記生成モジュールは、
前記識別情報生成規則が端末ＭＡＣアドレスを直接用いることである場合、前記端末ＭＡＣアドレスを前記端末の識別情報として用い、
前記識別情報生成規則が端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成することを特徴とする請求項６に記載の識別情報生成装置。
【請求項８】
前記識別情報生成装置は、生成された前記識別情報と受信された前記識別情報生成規則とを関連付けて記憶する関連記憶モジュールをさらに含むことを特徴とする請求項６に記載の識別情報生成装置。
【請求項９】
識別情報生成装置は、前記サーバーから新たに識別情報生成規則が送信されたことを検出したとき、新たに送信された前記識別情報生成規則と記憶されている識別情報生成規則とが整合するか否かを判断する判断モジュールをさらに含み、
前記処理モジュールはさらに、新たに送信された前記識別情報生成規則と記憶されている識別情報生成規則とが整合した場合、記憶されている識別情報生成規則に関連付けられた識別情報を現在の識別情報として直接用いることを特徴とする請求項８に記載の識別情報生成装置。
【請求項１０】
前記生成モジュールはさらに、新たに送信された前記識別情報生成規則と記憶されている識別情報生成規則とが整合しない場合、新たに送信された前記識別情報生成規則に基づいて新しい識別情報を生成し、
前記関連記憶モジュールはさらに、新しい識別情報と新たに送信された前記識別情報生成規則とを関連付けて記憶し、
前記処理モジュールはさらに、新しい識別情報を現在の識別情報として用いることを特徴とする請求項９に記載の識別情報生成装置。
【請求項１１】
識別情報生成機器であって、処理装置、ネットワークインタフェースおよび記憶装置を含み、前記記憶装置には識別情報生成プログラムが記憶されており、
前記ネットワークインタフェースは、識別情報生成規則が記憶されているサーバーに接続して、当該サーバーとデータ通信を行い、
前記処理装置は識別情報生成プログラムを実行することにより、
サーバーから送信されたデータ採集指令を受信したとき、前記データ採集指令に基づいてデータを採集するステップと、
採集した前記データを記憶するとともに、前記サーバーから識別情報生成規則が送信されるよう、前記データを前記サーバーにアップロードするステップと、
前記サーバーから送信された識別情報生成規則を受信したとき、前記データと前記識別情報生成規則に基づいて、前記端末の識別情報を生成するステップと、
生成された前記識別情報を記憶して、その後アプリケーションのインストール指令が検出されたとき、記憶されている前記識別情報が現在の識別情報として直接用いられるようにするステップとを実現し、送信された前記識別情報生成規則が変化していないとき、前記識別情報を変化させないことを特徴とする識別情報生成機器。
【請求項１２】
採集されたデータが端末ＭＡＣアドレスである場合、前記処理装置はさらに、前記識別情報生成プログラムを実行して、前記サーバーから送信された識別情報生成規則を受信したとき、前記データと前記識別情報生成規則に基づいて、前記端末の識別情報を生成するステップを実現し、
前記識別情報生成規則が端末ＭＡＣアドレスを直接用いることである場合、前記端末ＭＡＣアドレスを前記端末の識別情報として用い、
前記識別情報生成規則が端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成することを特徴とする請求項１１に記載の識別情報生成機器。
【請求項１３】
前記サーバーから送信された識別情報生成規則を受信したとき、前記データと前記識別情報生成規則に基づいて前記端末の識別情報を生成する前記ステップの後、前記処理装置はさらに、前記識別情報生成プログラムを実行することにより、生成した前記識別情報と受信した前記識別情報生成規則とを関連付けて記憶するステップを実現することを特徴とする請求項１１に記載の識別情報生成機器。
【請求項１４】
端末が生成した前記識別情報と受信した前記識別情報生成規則とを関連付けて記憶する前記ステップの後、前記処理装置はさらに、前記識別情報生成プログラムを実行することにより、
前記サーバーから新たに識別情報生成規則が送信されたことを検出したとき、新たに送信された前記識別情報生成規則と記憶されている識別情報生成規則とが整合するか否かを判断するステップと、
新たに送信された前記識別情報生成規則と記憶されている識別情報生成規則とが整合した場合、記憶されている識別情報生成規則に関連付けられた識別情報を現在の識別情報として直接用いるステップとを実現することを特徴とする請求項１３に記載の識別情報生成機器。
【請求項１５】
新たに送信された前記識別情報生成規則と記憶されている識別情報生成規則とが整合するか否かを判断する前記ステップの後、前記処理装置はさらに、前記識別情報生成プログラムを実行することにより、
新たに送信された前記識別情報生成規則と記憶されている識別情報生成規則とが整合しない場合、新たに送信された前記識別情報生成規則に基づいて新しい識別情報を生成するステップと、
新しい識別情報と新たに送信された前記識別情報生成規則とを関連付けて記憶するとともに、新しい識別情報を現在の識別情報として用いるステップとを実現することを特徴とする請求項１４に記載の識別情報生成機器。
【請求項１６】
コンピュータ読み取り可能記憶媒体であって、前記コンピュータ読み取り可能記憶媒体には１つまたは複数のプログラムが記憶されており、前記１つまたは複数のプログラムが１つまたは複数の処理装置によって実行されることにより、
サーバーから送信されたデータ採集指令を受信したとき、前記データ採集指令に基づいてデータを採集するステップと、
採集された前記データを記憶するとともに、前記サーバーから識別情報生成規則が送信されるよう、前記データを前記サーバーにアップロードするステップと、
前記サーバーから送信された識別情報生成規則を受信したとき、前記データと前記識別情報生成規則に基づいて前記端末の識別情報を生成するステップと、
生成された前記識別情報を記憶して、その後アプリケーションのインストール指令が検出されたとき、記憶されている前記識別情報が現在の識別情報として直接用いられるようにするステップとを実現し、送信された前記識別情報生成規則が変化していないとき、前記識別情報を変化させないことを特徴とするコンピュータ読み取り可能記憶媒体。
【請求項１７】
採集されたデータが端末ＭＡＣアドレスである場合、前記１つまたは複数のプログラムが１つまたは複数の処理装置によって実行されることにより、前記サーバーから送信された識別情報生成規則を受信したとき、前記データと前記識別情報生成規則に基づいて前記端末の識別情報を生成するステップを実現し、
前記識別情報生成規則が端末ＭＡＣアドレスを直接用いることである場合、前記端末ＭＡＣアドレスを前記端末の識別情報として用い、
前記識別情報生成規則が端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成することを特徴とする請求項１６に記載のコンピュータ読み取り可能記憶媒体。
【請求項１８】
前記サーバーから送信された識別情報生成規則を受信したとき、前記データと前記識別情報生成規則に基づいて前記端末の識別情報を生成する前記ステップの後、前記１つまたは複数のプログラムが１つまたは複数の処理装置によって実行されることにより、生成した前記識別情報と受信した前記識別情報生成規則とを関連付けて記憶するステップをさらに実現することを特徴とする請求項１６に記載のコンピュータ読み取り可能記憶媒体。
【請求項１９】
前記端末が生成した前記識別情報と受信した前記識別情報生成規則とを関連付けて記憶する前記ステップの後、前記１つまたは複数のプログラムが１つまたは複数の処理装置によって実行されることにより、
前記サーバーから新たに識別情報生成規則が送信されたことを検出したとき、新たに送信された前記識別情報生成規則と記憶されている識別情報生成規則とが整合するか否かを判断するステップと、
新たに送信された前記識別情報生成規則と記憶されている識別情報生成規則とが整合したとき、記憶されている識別情報生成規則に関連付けられた識別情報を現在の識別情報として直接用いるステップとをさらに実現することを特徴とする請求項１８に記載のコンピュータ読み取り可能記憶媒体。
【請求項２０】
新たに送信された前記識別情報生成規則と記憶されている識別情報生成規則とが整合するか否かを判断する前記ステップの後、前記１つまたは複数のプログラムが１つまたは複数の処理装置によって実行されることにより、
新たに送信された前記識別情報生成規則と記憶されている識別情報生成規則とが整合しない場合、新たに送信された前記識別情報生成規則に基づいて新しい識別情報を生成するステップと、
新しい識別情報と新たに送信された前記識別情報生成規則とを関連付けて記憶するとともに、新しい識別情報を現在の識別情報として用いるステップとをさらに実現することを特徴とする請求項１９に記載のコンピュータ読み取り可能記憶媒体。
【発明の詳細な説明】
【技術分野】
【０００１】
この出願は、出願日が２０１６年９月２８日であり、出願番号が２０１６１０８５９３５９．３であり、発明の名称が「識別情報生成方法および装置」である中国特許出願の優先権を主張し、該中国特許出願の全内容を本願に採用する。
【０００２】
本発明は、通信技術に関し、特に、識別情報生成方法、装置、機器およびコンピュータ読み取り可能記憶媒体に関する。
【背景技術】
【０００３】
ＵＵＩＤ（Universally  Unique  Identifier、汎用一意識別子）は端末で生成される識別情報であり、この識別情報は同一の時空間内の各端末の唯一性を確保することができる。ＵＵＩＤはアプリケーションプログラムをインストール後、初めて実行するときに生成される。具体的に、アプリケーションプログラムを初めて実行させるとき、端末はサーバーシステムであるＡＰＩ（Application  Programming  Interface、アプリケーションプログラミングインタフェース）を呼び出し、ＡＰＩインタフェースの乱数（random  number）に基づいてＵＵＩＤを生成する。端末には複数のアプリケーションが含まれており、各アプリケーションを再インストールして実行させるとき、端末はＡＰＩインタフェースを新たに呼び出すので、取得したＵＵＩＤは変化する。すなわち、ＵＵＩＤはアプリケーションが再インストールされることにより変化する。このようなＵＵＩＤ生成方法は安定性がよくない。
【発明の概要】
【発明が解決しようとする課題】
【０００４】
本発明の目的は、従来の識別情報生成方法の安定性がよくないという問題を解決することができる、識別情報生成方法、装置、機器およびコンピュータ読み取り可能記憶媒体を提供することにある。
【課題を解決するための手段】
【０００５】
上記目的を実現するため、本発明は識別情報生成方法を提供する。前記識別情報生成方法は、端末がサーバーから送信されたデータ採集指令を受信したとき、前記データ採集指令に基づいてデータを採集するステップと、採集した前記データを記憶するとともに、前記サーバーから識別情報生成規則が送信されるよう、前記データを前記サーバーにアップロードするステップと、前記サーバーから送信された識別情報生成規則を受信したとき、前記データと前記識別情報生成規則に基づいて、前記端末の識別情報を生成するステップと、生成された前記識別情報を記憶して、その後アプリケーションのインストール指令が検出されたとき記憶されている前記識別情報が現在の識別情報として直接用いられるようにするステップとを含み、送信された前記識別情報生成規則が変化していないとき、前記識別情報を変化させない。
【０００６】
また、上記目的を実現するため、本発明は識別情報生成装置を提供する。前記識別情報生成装置は、サーバーから送信されたデータ採集指令を受信したとき、前記データ採集指令に基づいてデータを採集する採集モジュールと、採集した前記データを記憶する記憶モジュールと、前記サーバーから識別情報生成規則が送信されるよう、前記データを前記サーバーにアップロードするアップロードモジュールと、前記サーバーから送信された識別情報生成規則を受信したとき、前記データと前記識別情報生成規則に基づいて前記端末の識別情報を生成する生成モジュールと、さらに、生成された前記識別情報を記憶する前記記憶モジュールと、アプリケーションのインストール指令が検出されたとき、記憶されている前記識別情報を現在の識別情報として直接用いる処理モジュールとを含み、送信された前記識別情報生成規則が変化しないとき、前記識別情報を変化させない。
【０００７】
また、上記目的を実現するため、本発明は識別情報生成機器を提供する。前記識別情報生成機器は、処理装置、ネットワークインタフェースおよび記憶装置を含み、前記記憶装置には識別情報生成プログラムが記憶されており、前記ネットワークインタフェースは、識別情報生成規則が記憶されているサーバーに接続して、当該サーバーとデータ通信を行い、前記処理装置は前記識別情報生成プログラムを実行することにより、サーバーから送信されたデータ採集指令を受信したとき、前記データ採集指令に基づいてデータを採集するステップと、採集した前記データを記憶するとともに、前記サーバーから識別情報生成規則が送信されるよう、前記データを前記サーバーにアップロードするステップと、前記サーバーから送信された識別情報生成規則を受信したとき、前記データと前記識別情報生成規則に基づいて、前記端末の識別情報を生成するステップと、生成された前記識別情報を記憶するステップとを実現し、その後アプリケーションのインストール指令が検出されたとき、記憶されている前記識別情報を現在の識別情報として直接用い、送信された前記識別情報生成規則が変化していないとき、前記識別情報を変化させない。
【０００８】
また、上記目的を実現するため、本発明はコンピュータ読み取り可能記憶媒体を提供する。前記コンピュータ読み取り可能記憶媒体には１つまたは複数のプログラムが記憶されており、前記１つまたは複数のプログラムが１つまたは複数の処理装置によって実行されることにより、サーバーから送信されたデータ採集指令を受信したとき、前記データ採集指令に基づいてデータを採集するステップと、採集された前記データを記憶するとともに、前記サーバーから識別情報生成規則が送信されるよう、前記データを前記サーバーにアップロードするステップと、前記サーバーから送信された識別情報生成規則を受信したとき、前記データと前記識別情報生成規則に基づいて前記端末の識別情報を生成するステップと、生成された前記識別情報を記憶して、その後アプリケーションのインストール指令が検出されたとき、記憶されている前記識別情報が現在の識別情報として直接用いられるようにするステップとを含み、送信された前記識別情報生成規則が変化していないとき、前記識別情報を変化させない。
【発明の効果】
【０００９】
本発明の識別情報生成方法、装置、機器およびコンピュータ読み取り可能記憶媒体は、サーバーから送信されたデータ採集指令を受信したとき、まず前記データ採集指令に基づいてデータを採集し、次に採集した前記データを記憶するとともに、前記サーバーから識別情報生成規則が送信されるよう、前記データを前記サーバーにアップロードし、前記サーバーから送信された識別情報生成規則を受信したとき、前記データと前記識別情報生成規則に基づいて前記端末の識別情報を生成し、最後に生成された前記識別情報を記憶し、その後アプリケーションのインストール指令が検出されたとき、記憶されている前記識別情報を現在の識別情報として直接用いるものであり、アプリケーションを再インストールするとき、ＡＰＩインタフェースの乱数を呼び出して新しい識別情報を生成する必要がない。本発明においては、サーバーから送信された識別情報生成規則と端末が採集したデータとが変化しないとき、取得された識別情報は変化しないので、識別情報の生成の安定性を確保することができる。
【図面の簡単な説明】
【００１０】
【図１】図１は、本発明の識別情報生成方法の第一実施例を示す流れ図である。
【図２】図２は、本発明の識別情報生成方法の第二実施例を示す流れ図である。
【図３】図３は、本発明の識別情報生成方法の第三実施例を示す流れ図である。
【図４】図４は、本発明の識別情報生成方法の第四実施例を示す流れ図である。
【図５】図５は、本発明の識別情報生成装置の第一実施例の機能モジュールを示す模式図である。
【図６】図６は、本発明の識別情報生成装置の第二実施例の機能モジュールを示す模式図である。
【図７】図７は、本発明の識別情報生成装置の第三実施例の機能モジュールを示す模式図である。
【図８】図８は、本発明の実施例に係るハードウェア実行環境である機器の構成を示す図である。
【発明を実施するための形態】
【００１１】
本発明の目的の実現、機能特徴および利点について、以下実施例と結び付け、図面を参照して詳細に説明する。
【００１２】
なお、下記の具体的な実施例は、本発明を説明するためのものであり、本発明を限定するものでない。
【００１３】
本発明は識別情報生成方法を提供する。
【００１４】
図１に示すように、図１は本発明の識別情報生成方法の第一実施例を示す流れ図である。
【００１５】
本実施例において、前記識別情報生成方法は、端末がサーバーから送信されたデータ採集指令を受信したとき、前記データ採集指令に基づいてデータを採集するステップＳ１０と、採集した前記データを記憶するとともに、前記サーバーから識別情報生成規則が送信されるよう、前記データを前記サーバーにアップロードするステップＳ２０と、前記サーバーから送信された識別情報生成規則を受信したとき、前記データと前記識別情報生成規則に基づいて、前記端末の識別情報を生成するステップＳ３０と、生成した前記識別情報を記憶して、その後アプリケーションのインストール指令が検出されたとき、記憶されている前記識別情報が現在の識別情報として直接用いられるようにするステップＳ４０とを含み、送信された前記識別情報生成規則が変化していないときは、前記識別情報を変化させない。
【００１６】
本実施例において、端末は、サーバーから送信されたデータ採集指令を受信したとき、まず前記データ採集指令に基づいてデータを採集し、次に採集した前記データを記憶するとともに、前記サーバーから識別情報生成規則が送信されるよう、採集した前記データを前記サーバーにアップロードする。このとき、前記サーバーから送信された識別情報生成規則を受信すると、採集した前記データと前記識別情報生成規則に基づいて前記端末の識別情報を生成できる。ここで、前記データは、端末の設定パラメーター、ＩＰ情報、ＭＡＣアドレスなどを含む。
【００１７】
本実施例において、採集されたデータが端末ＭＡＣアドレスである場合、前記ステップＳ３０の実施方法は次の２つの方法を含む。
【００１８】
（１）方法１
前記識別情報生成規則が、端末ＭＡＣアドレスを直接用いることである場合、前記端末ＭＡＣアドレスを前記端末の識別情報として用いる。
【００１９】
本実施方法において、前記サーバーから送信された識別情報生成規則が端末ＭＡＣアドレスを直接用いることである場合、前記端末は前記端末ＭＡＣアドレスを前記端末の識別情報として直接用いる。
【００２０】
（２）方法２
前記識別情報生成規則が、端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成する。
【００２１】
本実施方法において、前記サーバーから送信された識別情報生成規則が、端末ＭＡＣアドレスに対して暗号化処理をすることである場合、前記端末は、前記サーバーから送信された識別情報生成規則を受信したとき、まず使用する暗号化アルゴリズムを確定し、次に確定した暗号化アルゴリズムを使用して前記端末ＭＡＣアドレスに対して暗号化処理を行うことにより、前記端末の識別情報を生成する。本実施例において、前記アルゴリズムはメッセージダイジェストアルゴリズム（Message  Digest  Algorithm5、略称ＭＤ５）やｂａｓｅ６４暗号化アルゴリズムなどを含む。
【００２２】
本実施例においては、ｂａｓｅ６４暗号化アルゴリズムを例として説明をする。前記暗号化アルゴリズムとしてｂａｓｅ６４暗号化アルゴリズムを採用するとき、まず前記端末ＭＡＣアドレスのバイトを読み出し、次に連続する３個の８ビットのバイト（３＊８＝２４）を４個の６ビットのバイト（４＊６＝２４）に変換した後、６ビットのバイトの前にゼロを２個加えることにより、１バイト８ビットのスタイルを形成する。
【００２３】
よく理解してもらうため、以下、具体的な例を挙げて説明する。現在の文字列「11010101-11000101-00110011」を「110101-011100-010100-110011」に変換した後、６ビットのバイトの前にゼロを２個加えることにより、文字列「00110101-00011100-00010100-00110011」を取得する。
【００２４】
このように、上述した方法によって前記端末ＭＡＣアドレスに対して暗号化処理を行うことにより、前記端末の識別情報を生成することができる。
【００２５】
なお、上記の前記端末の識別情報を生成する２つの方法は例示に過ぎず、本技術分野の技術者が本発明の技術コンセプトを利用して具体的ニーズに応じて提示する、前記端末の識別情報を生成するその他の方法は、すべて本発明の保護範囲に含まれると理解されるので、ここでは逐一説明しない。
【００２６】
前記端末の識別情報を生成した後、生成した前記識別情報を所定の記憶スペースに記憶する。サーバーから送信された前記識別情報生成規則が変化しなければ、前記端末の前記識別情報は変化しない。その後アプリケーションのインストール指令が検出されたとき、記憶されている前記識別情報を現在の識別情報として直接用いることができ、新しい識別情報を新たに生成する必要がない。
【００２７】
つまり、端末の識別情報は、端末が採集したデータとサーバーから送信された識別情報生成規則とにより生成されるものであって、端末が採集したデータが変化せず、かつサーバーから送信された識別情報生成規則も変化していなければ、前記端末の識別情報が変化することはない。１つの端末には複数のアプリケーションが含まれているが、アプリケーションごとに取得される端末の識別子は同一なので、アプリケーションをアンインストールしてから再インストールしたり、或いは前記端末をｒｏｏｔ化するとき、新しい端末識別子を生成する必要がなく、端末識別子の安定性と唯一性を確保することができる。
【００２８】
本実施例の識別情報生成方法において、端末はサーバーから送信されたデータ採集指令を受信したとき、まず前記データ採集指令に基づいてデータを採集し、次に採集した前記データを記憶するとともに、前記サーバーから識別情報生成規則が送信されるよう、前記データを前記サーバーにアップロードする。前記サーバーから送信された識別情報生成規則を受信したとき、前記データと前記識別情報生成規則に基づいて前記端末の識別情報を生成し、最後に生成した前記識別情報を記憶する。その後アプリケーションのインストール指令が検出されたとき、記憶されている前記識別情報を現在の識別情報として直接用いる。アプリケーションを再インストールするとき、ＡＰＩインタフェースの乱数を呼び出して新しい識別情報をランダムに生成する必要がない。本発明において、サーバーから送信された識別情報生成規則と端末が採集したデータとが変化しなければ、取得される識別情報は変化しないので、識別情報の生成の安定性を確保することができる。
【００２９】
さらに、第一実施例に基づいて、本発明の識別情報生成方法の第二実施例を提供する。図２に示すように、本実施例においては、前記ステップＳ３０の後に、前記端末が、生成した前記識別情報と受信した前記識別情報生成規則とを関連付けて記憶するステップＳ５０をさらに含む。
【００３０】
本実施例において、前記端末は、当該端末の識別情報を生成した後、生成した前記識別情報と受信した前記識別情報生成規則とを関連付けて記憶する。記憶する場所はローカルファイルでもよいし、端末のキーチェーン（keychain）内でもよい。
【００３１】
このように、生成した前記識別情報と受信した前記識別情報生成規則とを関連付けて記憶し、次にサーバーから送信された識別情報生成規則が変化していないかぎり、前記端末は前記識別情報を直接用いることができ、更新する必要がなく、いずれのアプリケーションについてもこれを直接用いることができるので、識別情報を複数回生成することを避け、識別情報の生成の安定性と唯一性を確保することができる。
【００３２】
さらに、第二実施例に基づいて本発明の識別情報生成方法の第三実施例を提供する。図３に示すように、本実施例においては、前記ステップＳ５０の後に、前記サーバーから新たに識別情報生成規則が送信されたことを検出したとき、新たに送信された前記識別情報生成規則と記憶されている識別情報生成規則とが整合するか否かを判断するステップＳ６０と、新たに送信された前記識別情報生成規則と記憶されている識別情報生成規則とが整合した場合、記憶されている識別情報生成規則に関連付けられた識別情報を現在の識別情報として直接用いるステップＳ７０とをさらに含む。
【００３３】
本実施例において、前記端末は、生成した前記識別情報と受信した前記識別情報生成規則とを関連付けて記憶した後、実行過程において、前記サーバーから新たに識別情報生成規則が送信されたことを検出したとき、まず新たに送信された前記識別情報生成規則と記憶されている識別情報生成規則とが整合するか否かを判断する。具体的には、送信された前記識別情報生成規則と記憶されている識別情報生成規則とを比較し、新たに送信された前記識別情報生成規則と記憶されている識別情報生成規則とが整合することを検出した場合、識別情報生成規則が変化していないことを意味するので、記憶されている識別情報生成規則に関連付けられた識別情報を現在の識別情報として直接用いることができる。
【００３４】
一般的状況においては、前記サーバーに予め記憶されている識別情報生成規則は変化しないので、端末が生成する識別情報も通常は変化しない。しかし、端末の識別情報が漏洩して端末の識別情報の使用上の安全性が低下することを防止するために、前記サーバーは、識別情報生成規則を更新し、更新された識別情報生成規則を前記端末に新たに送信することができる。
【００３５】
本実施例においては、サーバーから新たに識別情報生成規則が送信されたとき、前記端末はまず識別情報生成規則が変化しているかどうかを検証する。変化していない場合は、前記端末は以前の識別情報をそのまま用いればよく、更新する必要がない。すなわち、端末の識別情報と識別情報生成規則を同期させることにより端末の識別情報の安定性と唯一性を確保することができる。
【００３６】
さらに、第三実施例に基づいて本発明の識別情報生成方法の第四実施例を提供する。図４に示すように、本実施例においては、前記ステップＳ５０の後に、新たに送信された前記識別情報生成規則と記憶されている識別情報生成規則とが整合しない場合、新たに送信された前記識別情報生成規則に基づいて、新しい識別情報を生成するステップＳ８０と、新しい識別情報と新たに送信された前記識別情報生成規則とを関連付けて記憶するとともに、新しい識別情報を現在の識別情報として用いるステップＳ９０とをさらに含む。
【００３７】
本実施例において、新たに送信された前記識別情報生成規則と記憶されている識別情報生成規則とを比較し、新たに送信された前記識別情報生成規則と記憶されている識別情報生成規則とが整合しない場合、前記サーバーのバックエンドで識別情報生成規則が更新されたことを意味する。このとき、前記端末は、新たに送信された前記識別情報生成規則と採集したデータに基づいて、新しい識別情報を生成する。同様に、新しい識別情報と新たに送信された前記識別情報生成規則とを関連付けて記憶し、新しい識別情報を現在の識別情報として用いる。この場合、以前使用した識別情報はそのまま保存してもよいし、直接削除してもよい。
【００３８】
本実施例においては、サーバーから新たに送信された前記識別情報生成規則と記憶されている識別情報生成規則とが整合しないとき、前記端末が新しい識別情報を生成し、新しい識別情報を現在の識別情報として用いることで、端末の識別情報を識別情報生成規則の変化に応じて変化させることができる。
【００３９】
なお、本技術分野の技術者であれば理解できるように、前記実施例を実現する全部または一部分のステップは、ハードウェアによって実行されてもよいし、プログラムによって関係するハードウェアに指令することにより実行されてもよく、前記プログラムはＲＯＭ、磁気ディスク、光ディスクなどのコンピュータ読み取り可能記憶媒体に記憶することができる。
【００４０】
本発明はさらに、識別情報生成装置を提供する。
【００４１】
図５に示すように、図５は本発明の識別情報生成装置１００の第一実施例の機能モジュールを示す模式図である。
【００４２】
なお、図５の機能モジュール図は本発明の好適な実施例の例示に過ぎず、本技術分野の技術者であれば、図５の識別情報生成装置１００の機能モジュールの周辺に、新たな機能モジュールを容易に追加することができるであろう。また、各機能モジュールの名称は、独自に定義した名称であり、前記識別情報生成装置１００の各プログラム機能モジュールが理解されやすいよう用いるものであり、本発明の技術的特徴を限定するものではない。本発明の技術的特徴の核心は、独自に定義した名称を有している各機能モジュールが達成する機能にある。
【００４３】
本実施例において、前記識別情報生成装置１００は、サーバーから送信されたデータ採集指令を受信したとき、前記データ採集指令に基づいてデータを採集する採集モジュール１０と、採集した前記データを記憶する記憶モジュール２０と、前記サーバーから識別情報生成規則が送信されるよう、前記データを前記サーバーにアップロードするアップロードモジュール３０と、前記サーバーから送信された識別情報生成規則を受信したとき、前記データと前記識別情報生成規則に基づいて、前記端末の識別情報を生成する生成モジュール４０と、さらに、生成した前記識別情報を記憶させる前記記憶モジュール２０と、アプリケーションのインストール指令が検出されたとき、記憶されている前記識別情報を現在の識別情報として直接用いる処理モジュール５０とを含み、送信された前記識別情報生成規則が変化していないとき、前記識別情報を変化させない。
【００４４】
本実施例において、サーバーから送信されたデータ採集指令を受信したとき、採集モジュール１０がまず前記データ採集指令に基づいてデータを採集し、次に記憶モジュール２０が採集した前記データを記憶する。同時に、アップロードモジュール３０が前記サーバーから識別情報生成規則が送信されるよう、採集された前記データを前記サーバーにアップロードする。このとき、前記サーバーから送信された識別情報生成規則を受信すれば、生成モジュール４０が採集した前記データと送信された前記識別情報生成規則に基づいて前記端末の識別情報を生成できる。ここで、前記データは、端末の設定パラメーター、ＩＰ情報、ＭＡＣアドレスなどを含む。
【００４５】
本実施例において、採集されたデータが端末ＭＡＣアドレスである場合、前記生成モジュール４０が前記端末の識別情報を生成する実施方法は次の２つの方法を含む。
【００４６】
（１）方法１
前記識別情報生成規則が、端末ＭＡＣアドレスを直接用いることである場合、前記端末ＭＡＣアドレスを前記端末の識別情報として用いる。
【００４７】
本実施方法において、前記サーバーから送信された識別情報生成規則が、端末ＭＡＣアドレスを直接用いることである場合、前記生成モジュール４０は前記端末ＭＡＣアドレスを前記端末の識別情報として直接用いる。
【００４８】
（２）方法２
前記識別情報生成規則が、端末ＭＡＣアドレスに対して暗号化処理をすることである場合、前記生成モジュール４０は所定の暗号化アルゴリズムを用いて前記端末ＭＡＣアドレスに対して暗号化処理をすることにより、前記端末の識別情報を生成する。
【００４９】
本実施方法において、前記サーバーから送信された識別情報生成規則が、端末ＭＡＣアドレスに対して暗号化処理を行うことである場合、前記サーバーから送信された識別情報生成規則を受信したとき、前記生成モジュール４０は、まず使用する暗号化アルゴリズムを確定し、次に確定した暗号化アルゴリズムを使用して前記端末ＭＡＣアドレスに対して暗号化処理を行うことにより、前記端末の識別情報を生成する。本実施例において、前記アルゴリズムはメッセージダイジェストアルゴリズム（Message  Digest  Algorithm5、略称ＭＤ５）とｂａｓｅ６４暗号化アルゴリズムなどを含む。
【００５０】
本実施例においては、ｂａｓｅ６４暗号化アルゴリズムを例として説明をする。前記暗号化アルゴリズムとしてｂａｓｅ６４暗号化アルゴリズムを採用するとき、まず前記端末ＭＡＣアドレスのバイトを読み出し、次に３個の８ビットのバイト（３＊８＝２４）を４個の６ビットのバイト（４＊６＝２４）に変換し、最後に６ビットのバイトの前にゼロを２個加えることにより、１バイト８ビットのスタイルを形成する。
【００５１】
よく理解してもらうため、以下、具体的な例を挙げて説明する。現在の文字列「11010101-11000101-00110011」を「110101-011100-010100-110011」に変換した後、６ビットのバイトの前にゼロを２個加えることにより、文字列「00110101-00011100-00010100-00110011」を取得する。
【００５２】
このように、前記生成モジュール４０は上述した方法によって前記端末ＭＡＣアドレスに対して暗号化処理を行うことにより、前記端末の識別情報を生成することができる。
【００５３】
なお、上記の前記端末の識別情報を生成する２つの方法は例示に過ぎず、本技術分野の技術者が本発明の技術コンセプトを利用して具体的ニーズに応じて提示する、前記端末の識別情報を生成するその他の方法は、すべて本発明の保護範囲に含まれると理解されるので、ここでは逐一説明しない。
【００５４】
前記生成モジュール４０が前記端末の識別情報を生成した後、前記記憶モジュール２０が生成した前記識別情報を所定の記憶スペースに記憶する。サーバーから送信された前記識別情報生成規則が変化していなければ、前記端末の前記識別情報も変化しない。その後アプリケーションのインストール指令が検出されたとき、前記処理モジュール５０は記憶されている前記識別情報を現在の識別情報として直接用いることができ、新しい識別情報を新たに生成する必要がない。
【００５５】
つまり、端末の識別情報は端末が採集したデータとサーバーから送信された識別情報生成規則とにより生成されるものであって、端末が採集したデータが変化せず、かつサーバーから送信された識別情報生成規則も変化していなければ、前記端末の識別情報が変化することはない。１つの端末には複数のアプリケーションが含まれているが、アプリケーションごとに取得される端末の識別子は同一なので、アプリケーションをアンインストールしてから再インストールしたり、或いは前記端末をｒｏｏｔ化するとき、新しい端末識別子を生成する必要がなく、端末識別子の安定性と唯一性を確保することができる。
【００５６】
本実施例の識別情報生成装置１００において、サーバーから送信されたデータ採集指令を受信したとき、採集モジュール１０がまず前記データ採集指令に基づいてデータを採集し、次に記憶モジュール２０が採集した前記データを記憶するとともに、アップロードモジュール３０が、前記サーバーから識別情報生成規則が送信されるよう、前記データを前記サーバーにアップロードする。前記サーバーから送信された識別情報生成規則を受信したとき、生成モジュール４０は前記データと前記識別情報生成規則に基づいて前記端末の識別情報を生成し、最後に前記記憶モジュール２０が生成した前記識別情報を記憶する。その後アプリケーションのインストール指令が検出されたとき、処理モジュール５０は記憶されている前記識別情報を現在の識別情報として直接用いる。アプリケーションを再インストールするとき、ＡＰＩインタフェースの乱数を呼び出して新しい識別情報をランダムに生成する必要がない。本発明において、サーバーから送信された識別情報生成規則と端末が採集したデータとが変化しなければ、取得される識別情報は変化しないので、識別情報の生成の安定性を確保することができる。
【００５７】
さらに、第一実施例に基づいて、本発明の識別情報生成装置１００の第二実施例を提供する。図６に示すように、前記識別情報生成装置１００は、生成した前記識別情報と受信した前記識別情報生成規則とを関連付けて記憶する関連記憶モジュール６０をさらに含む。
【００５８】
本実施例において、生成モジュール４０が前記端末の識別情報を生成した後、関連記憶モジュール６０は生成した前記識別情報と受信した前記識別情報生成規則とを関連付けて記憶する。記憶する場所はローカルファイルでもよいし、端末のキーチェーン内でもよい。
【００５９】
このように、生成した前記識別情報と受信した前記識別情報生成規則とを関連付けて記憶し、次にサーバーから送信された識別情報生成規則が変化していないかぎり、前記識別情報生成装置１００は当該識別情報を直接用いることができ、更新する必要がなく、いずれのアプリケーションについてもこれを直接用いることができるので、識別情報を複数回生成することを避け、識別情報の生成の安定性と唯一性を確保することができる。
【００６０】
さらに、第二実施例に基づいて本発明の識別情報生成装置１００の第三実施例を提供する。図７に示すように、本実施例において、識別情報生成装置１００は、前記サーバーから新たに識別情報生成規則が送信されたことを検出したとき、新たに送信された前記識別情報生成規則と記憶されている識別情報生成規則とが整合するか否かを判断する判断モジュール７０をさらに含み、前記処理モジュール５０は、新たに送信された前記識別情報生成規則と記憶されている識別情報生成規則とが整合した場合、記憶されている識別情報生成規則に関連付けられた識別情報を現在の識別情報として直接用いる。
【００６１】
本実施例において、関連記憶モジュール６０が生成した前記識別情報と受信した前記識別情報生成規則とを関連付けて記憶した後、実行過程において、前記サーバーから新たに識別情報生成規則が送信されたことを検出したとき、判断モジュール７０が、まず新たに送信された前記識別情報生成規則と記憶されている識別情報生成規則とが整合するか否かを判断する。具体的には、送信された前記識別情報生成規則と記憶されている識別情報生成規則とを比較し、新たに送信された前記識別情報生成規則と記憶されている識別情報生成規則とが整合することを検出した場合、識別情報生成規則が変化していないことを意味するので、処理モジュール５０は記憶されている識別情報生成規則に関連付けられた識別情報を現在の識別情報として直接用いることができる。
【００６２】
一般的状況においては、前記サーバーに予め記憶されている識別情報生成規則は変化しないので、端末が生成する識別情報も通常は変化しない。しかし、端末の識別情報が漏洩して端末の識別情報の使用上の安全性が低下することを防止するために、前記サーバーは、識別情報生成規則を更新し、更新された識別情報生成規則を前記識別情報生成装置１００に新たに送信することができる。
【００６３】
本実施例においては、サーバーから新たに識別情報生成規則が送信されたとき、前記端末はまず識別情報生成規則が変化しているかどうかを検証する。変化していない場合は、前記端末は以前の識別情報をそのまま用いればよく、更新する必要がない。すなわち、端末の識別情報と識別情報生成規則を同期させることにより端末の識別情報の安定性と唯一性を確保することができる。
【００６４】
さらに、第三実施例に基づいて、本発明の識別情報生成装置１００の第四実施例を提供する。本実施例において、前記生成モジュール４０はさらに、新たに送信された前記識別情報生成規則と記憶されている識別情報生成規則とが整合しない場合、新たに送信された前記識別情報生成規則に基づいて、新しい識別情報を生成し、前記関連記憶モジュール６０はさらに、新しい識別情報と新たに送信された前記識別情報生成規則とを関連付けて記憶し、前記処理モジュール５０はさらに、新しい識別情報を現在の識別情報として用いる。
【００６５】
本実施例においては、新たに送信された前記識別情報生成規則と記憶されている識別情報生成規則とを比較し、新たに送信された前記識別情報生成規則と記憶されている識別情報生成規則とが整合しない場合、前記サーバーのバックエンドで識別情報生成規則が更新されたことを意味する。このとき、前記生成モジュール４０は、新たに送信された前記識別情報生成規則と採集したデータに基づいて、新しい識別情報を生成する。同様に、前記関連記憶モジュール６０は、新しい識別情報と新たに送信された前記識別情報生成規則とを関連付けて記憶し、前記処理モジュール５０は新しい識別情報を現在の識別情報として用いる。この場合、以前使用した識別情報はそのまま保存してもよいし、直接削除してもよい。
【００６６】
本実施例においては、サーバーから新たに送信された前記識別情報生成規則と記憶されている識別情報生成規則とが整合しないとき、前記生成モジュール４０が新しい識別情報を生成し、前記処理モジュール５０が新しい識別情報を現在の識別情報として用いることで、端末の識別情報を識別情報生成規則の変化に応じて変化させることができる。
【００６７】
なお、ハードウェアにより実現する場合、上記の採集モジュール１０、記憶モジュール２０、アップロードモジュール３０、生成モジュール４０および処理モジュール５０などはハードウェアの形態で識別情報生成装置に実装してもいし、識別情報生成装置から独立して設置してもよい。また、ソフトウェアの形態で識別情報生成装置のメモリに記憶させ、プロセッサにより呼び出して各モジュールに対応する操作を実施してもよい。このプロセッサは、中央処理装置（ＣＰＵ）、マイクロプロセッサ、シングルチップコンピュータなどとすることができる。
【００６８】
図８に示すとおり、図８は本発明の実施例に係るハードウェア実行環境である機器の構成を示す模式図である。
【００６９】
本発明の実施例の識別情報生成機器は、ＰＣであってもよいし、スマートフォン、タブレットパソコン、電子書籍リーダー、モバイルコンピュータなどの端末機器であってもよい。
【００７０】
図８に示すとおり、前記識別情報生成機器は、例えばＣＰＵである処理装置１００１、ネットワークインタフェース１００２、および記憶装置１００３を含むことができる。これらのコンポーネント間の通信接続は通信バスによって実現することができる。ネットワークインタフェース１００２として有線インタフェース、無線インタフェース（例えばＷｉ−Ｆｉ）などを選択することができる。記憶装置１００３は高速ＲＡＭメモリであってもよいし、磁気ディスクメモリなどの不揮発性メモリ（non−volatile  memory）であってもよい。記憶装置１００３は前記処理装置１００１から独立した記憶装置であってもよい。
【００７１】
選択的に、識別情報生成機器は、ユーザーインタフェース、カメラ、ＲＦ（Radio  Frequency）回路、センサー、音声回路、Ｗi−Ｆiモジュールなどをさらに含むことができる。ユーザーインタフェースはディスプレイ（Display）、キーボード（Keyboard）などの入力装置例を含んでもよく、選択可能なユーザーインタフェースとして、標準規格の有線インタフェース、無線インタフェースをさらに含むことができる。
【００７２】
本技術分野の技術者であれば理解されるように、図８に示す識別情報生成機器の構造は識別情報生成機器を限定するものでなく、図示したよりも多いまたは少ない部品を備えてもよいし、または、部品同士を組み合わせてもよいし、異なる部品配列であってもよい。
【００７３】
図８に示すとおり、コンピュータ記憶媒体である記憶装置１００３には、オペレーティングシステム、ネットワーク通信モジュールおよび識別情報生成プログラムを含むことができる。オペレーティングシステムは、識別情報生成機器のハードウェアおよびソフトウェアリソースを管理、制御するプログラムであり、ネットワーク通信モジュール、識別情報生成プログラム、およびその他のプログラムまたはソフトウェアの実行をサポートする。ネットワーク通信モジュールはネットワークインタフェース１００２を管理、制御する。
【００７４】
図８に示す識別情報生成機器において、ネットワークインタフェース１００２は主として、識別情報生成規則が記憶されているサーバーに接続して、サーバーとデータ通信を行うのに用いられる。処理装置１００１は記憶装置１００３に記憶されている識別情報生成プログラムを実行することにより、サーバーから送信されたデータ採集指令を受信したとき、前記データ採集指令に基づいてデータを採集するステップと、採集した前記データを記憶するとともに、前記サーバーから識別情報生成規則が送信されるよう、前記データを前記サーバーにアップロードするステップと、前記サーバーから送信された識別情報生成規則を受信したとき、前記データと前記識別情報生成規則に基づいて、前記端末の識別情報を生成するステップと、生成した前記識別情報を記憶するステップとを実現し、その後アプリケーションのインストール指令が検出されたとき、記憶されている前記識別情報を現在の識別情報として直接用い、送信された前記識別情報生成規則が変化していないときは、前記識別情報を変化させない。
【００７５】
さらに、採集されたデータが端末ＭＡＣアドレスである場合、前記処理装置１００１は、記憶装置１００３に記憶されている識別情報生成プログラムを実行して、前記サーバーから送信された識別情報生成規則を受信したとき、前記データと前記識別情報生成規則に基づいて、前記端末の識別情報を生成するステップを実現することができ、前記識別情報生成規則が端末ＭＡＣアドレスを直接用いることである場合、前記端末ＭＡＣアドレスを前記端末の識別情報として用い、前記識別情報生成規則が端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成する。
【００７６】
さらに、前記サーバーから送信された識別情報生成規則を受信したとき、前記データと前記識別情報生成規則に基づいて前記端末の識別情報を生成する前記ステップの後、前記処理装置１００１は記憶装置１００３に記憶されている識別情報生成プログラムを実行することにより、生成した前記識別情報と受信した前記識別情報生成規則とを関連付けて記憶するステップをさらに実現することができる。
【００７７】
さらに、端末が生成した前記識別情報と受信した前記識別情報生成規則とを関連付けて記憶する前記ステップの後、前記処理装置１００１は記憶装置１００３に記憶されている識別情報生成プログラムを実行することにより、前記サーバーから新たに識別情報生成規則が送信されたことを検出したとき、新たに送信された前記識別情報生成規則と記憶されている識別情報生成規則とが整合するか否かを判断するステップと、新たに送信された前記識別情報生成規則と記憶されている識別情報生成規則とが整合した場合、記憶されている識別情報生成規則に関連付けられた識別情報を現在の識別情報として直接用いるステップとをさらに実現することができる。
【００７８】
さらに、新たに送信された前記識別情報生成規則と予め記憶させた識別情報生成規則とが整合するか否かを判断する前記ステップの後、前記処理装置１００１は記憶装置１００３に記憶されている識別情報生成プログラムを実行することにより、新たに送信された前記識別情報生成規則と記憶されている識別情報生成規則とが整合しない場合、新たに送信された前記識別情報生成規則に基づいて、新しい識別情報を生成するステップと、新しい識別情報と新たに送信された前記識別情報生成規則とを関連付けて記憶するとともに、新しい識別情報を現在の識別情報として用いるステップとをさらに実現することができる。
【００７９】
本発明の識別情報生成機器の具体的な実施形態は、上記の識別情報生成方法および装置の各実施例と基本的に同じであるので、ここでは説明を省略する。
【００８０】
本発明はさらにコンピュータ読み取り可能記憶媒体を提供する。前記コンピュータ読み取り可能記憶媒体には１つまたは複数のプログラムが記憶されており、前記１つまたは複数のプログラムが１つまたは複数の処理装置によって実行されることにより、端末がサーバーから送信されたデータ採集指令を受信したとき、前記データ採集指令に基づいてデータを採集するステップと、採集した前記データを記憶するとともに、前記サーバーから識別情報生成規則が送信されるよう、前記データを前記サーバーにアップロードするステップと、前記サーバーから送信された識別情報生成規則を受信したとき、前記データと前記識別情報生成規則に基づいて、前記端末の識別情報を生成するステップと、生成した前記識別情報を記憶するステップを実現することができ、その後アプリケーションのインストール指令が検出されたとき、記憶されている前記識別情報を現在の識別情報として直接用い、送信された前記識別情報生成規則が変化していないときは、前記識別情報を変化させない。
【００８１】
さらに、採集されたデータが端末ＭＡＣアドレスである場合、前記１つまたは複数のプログラムが１つまたは複数の処理装置によって実行されることにより、前記サーバーから送信された識別情報生成規則を受信したとき、前記データと前記識別情報生成規則に基づいて前記端末の識別情報を生成するステップを実現し、前記識別情報生成規則が端末ＭＡＣアドレスを直接用いることである場合、前記端末ＭＡＣアドレスを前記端末の識別情報として用い、前記識別情報生成規則が端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成する。
【００８２】
さらに、前記サーバーから送信された識別情報生成規則を受信したとき、前記データと前記識別情報生成規則に基づいて前記端末の識別情報を生成する前記ステップの後、前記１つまたは複数のプログラムが１つまたは複数の処理装置によって実行されることにより、生成した前記識別情報と受信した前記識別情報生成規則とを関連付けて記憶するステップをさらに実現することができる。
【００８３】
さらに、端末が生成した前記識別情報と受信した前記識別情報生成規則とを関連付けて記憶する前記ステップの後、前記１つまたは複数のプログラムが１つまたは複数の処理装置によって実行されることにより、前記サーバーから新たに識別情報生成規則が送信されたことを検出したとき、新たに送信された前記識別情報生成規則と記憶されている識別情報生成規則とが整合するか否かを判断するステップと、新たに送信された前記識別情報生成規則と記憶されている識別情報生成規則とが整合した場合、記憶されている識別情報生成規則に関連付けられた識別情報を現在の識別情報として直接用いるステップとをさらに実現することができる。
【００８４】
さらに、新たに送信された前記識別情報生成規則と記憶されている識別情報生成規則とが整合するか否かを判断する前記ステップの後、前記１つまたは複数のプログラムが１つまたは複数の処理装置によって実行されることにより、新たに送信された前記識別情報生成規則と記憶されている識別情報生成規則とが整合しない場合、新たに送信された前記識別情報生成規則に基づいて、新しい識別情報を生成するステップと、新しい識別情報と新たに送信された前記識別情報生成規則とを関連付けて記憶するとともに、新しい識別情報を現在の識別情報として用いるステップとをさらに実現することができる。
【００８５】
本発明のコンピュータ読み取り可能記憶媒体の具体的な実施形態は、上記の識別情報生成方法および装置の各実施例と基本的に同じであるので、ここでは説明を省略する。
【００８６】
なお、本文における「備える」、「含む」またはそれに類する用語は、非排他的な包含を意味し、一連の要素を含む過程、方法、物品または装置は、それら要素を含むだけではなく明確に列挙されていない要素を含んだり、その過程、方法、物品または装置に固有の要素を含むこともできる。特に限定しない場合、「・・・を１つ含む」との表現で限定された要素は、その要素の過程、方法、部品または装置に別の同じ要素が存在する可能性を排除されない。
【００８７】
上記の本発明の実施例の番号は、説明を行うためのものであり、実施例の優劣を表すためのものではない。上記実施例の説明によれば、上記実施例の方法はソフトウェアと必需の汎用ハードウェアプラットフォームによって、あるいは当然ハードウェアによって実現できるが、多くの場合、前者がより好ましい実施の形態であることは当業者であれば自明であろう。そのうえで、本発明の技術的解決手段は本質的に、または従来技術に対して貢献する部分が、ソフトウェア製品の形態で体現でき、このコンピュータソフトウェア製品は記憶媒体（例えば、ＲＯＭ／ＲＡＭ、磁気ディスク、光ディクス）に記憶され、幾つかのコマンドを含めることで、一台の端末機器（携帯電話、コンピュータ、サーバー、空調機、またはインターネット装置）で本発明の各実施例で説明した方法を実行することができる。
【００８８】
以上は本発明の好ましい実施例にすぎず、本発明の特許範囲を限定するものではない。本発明の明細書および図面を利用してなされた均等な設計やフローの変更、または、別の関連技術分野への直接的または間接的な応用は、いずれも本発明の保護範囲に属する。
【図１】
2019501427.tif 000003
【図２】
2019501427.tif 000004
【図３】
2019501427.tif 000005
【図４】
2019501427.tif 000006
【図５】
2019501427.tif 000007
【図６】
2019501427.tif 000008
【図７】
2019501427.tif 000009
【図８】
2019501427.tif 000010
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
識別情報生成方法であって、
端末がサーバーから送信されたデータ採集指令を受信したとき、前記データ採集指令に基づいてデータを採集するステップと、
採集した前記データを記憶するとともに、前記サーバーから識別情報生成規則が送信されるよう、前記データを前記サーバーにアップロードするステップと、
前記サーバーから送信された識別情報生成規則を受信したとき、前記データと前記識別情報生成規則に基づいて、前記端末の識別情報を生成するステップと、
生成された前記識別情報を記憶して、その後アプリケーションのインストール指令が検出されたとき、記憶されている前記識別情報が現在の識別情報として直接用いられるようにするステップとを含み、送信された前記識別情報生成規則が変化していないとき、前記識別情報を変化させないことを特徴とする識別情報生成方法。
【請求項２】
採集されたデータが端末ＭＡＣアドレスである場合、前記サーバーから送信された識別情報生成規則を受信したとき、前記データと前記識別情報生成規則に基づいて、前記端末の識別情報を生成する前記ステップは、
前記識別情報生成規則が前記端末ＭＡＣアドレスを直接用いることである場合、前記端末ＭＡＣアドレスを前記端末の識別情報として用いることと、
前記識別情報生成規則が前記端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成することを含むことを特徴とする請求項１に記載の識別情報生成方法。
【請求項３】
前記識別情報生成方法は、前記サーバーから送信された識別情報生成規則を受信したとき、前記データと前記識別情報生成規則に基づいて前記端末の識別情報を生成する前記ステップの後に、前記端末が、生成した前記識別情報と受信した前記識別情報生成規則とを関連付けて記憶するステップをさらに含むことを特徴とする請求項１に記載の識別情報生成方法。
【請求項４】
前記識別情報生成方法は、前記端末が生成した前記識別情報と受信した前記識別情報生成規則とを関連付けて記憶するステップの後に、
前記サーバーから新たに識別情報生成規則が送信されたことを検出したとき、新たに送信された前記識別情報生成規則と記憶されている識別情報生成規則とが整合するか否かを判断するステップと、
新たに送信された前記識別情報生成規則と記憶されている識別情報生成規則とが整合した場合、記憶されている識別情報生成規則に関連付けられた識別情報を現在の識別情報として直接用いるステップとをさらに含むことを特徴とする請求項３に記載の識別情報生成方法。
【請求項５】
前記識別情報生成方法は、新たに送信された前記識別情報生成規則と記憶されている識別情報生成規則とが整合するか否かを判断する前記ステップの後に、
新たに送信された前記識別情報生成規則と記憶されている識別情報生成規則とが整合しない場合、新たに送信された前記識別情報生成規則に基づいて、新しい識別情報を生成するステップと、
新しい識別情報と新たに送信された前記識別情報生成規則とを関連付けて記憶するとともに、新しい識別情報を現在の識別情報として用いるステップとをさらに含むことを特徴とする請求項４に記載の識別情報生成方法。
【請求項６】
識別情報生成装置であって、
サーバーから送信されたデータ採集指令を受信したとき、前記データ採集指令に基づいてデータを採集する採集モジュールと、
採集した前記データを記憶する記憶モジュールと、
前記サーバーから識別情報生成規則が送信されるよう、前記データを前記サーバーにアップロードするアップロードモジュールと、
前記サーバーから送信された識別情報生成規則を受信したとき、前記データと前記識別情報生成規則に基づいて端末の識別情報を生成する生成モジュールと、
さらに、生成された前記識別情報を記憶させる前記記憶モジュールと、
アプリケーションのインストール指令が検出されたとき、記憶されている前記識別情報を現在の識別情報として直接用いる処理モジュールとを含み、送信された前記識別情報生成規則が変化しないとき、前記識別情報を変化させないことを特徴とする識別情報生成装置。
【請求項７】
採集されたデータが端末ＭＡＣアドレスである場合、前記生成モジュールは、
前記識別情報生成規則が前記端末ＭＡＣアドレスを直接用いることである場合、前記端末ＭＡＣアドレスを前記端末の識別情報として用い、
前記識別情報生成規則が前記端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成することを特徴とする請求項６に記載の識別情報生成装置。
【請求項８】
前記識別情報生成装置は、生成された前記識別情報と受信された前記識別情報生成規則とを関連付けて記憶する関連記憶モジュールをさらに含むことを特徴とする請求項６に記載の識別情報生成装置。
【請求項９】
識別情報生成装置は、前記サーバーから新たに識別情報生成規則が送信されたことを検出したとき、新たに送信された前記識別情報生成規則と記憶されている識別情報生成規則とが整合するか否かを判断する判断モジュールをさらに含み、
前記処理モジュールはさらに、新たに送信された前記識別情報生成規則と記憶されている識別情報生成規則とが整合した場合、記憶されている識別情報生成規則に関連付けられた識別情報を現在の識別情報として直接用いることを特徴とする請求項８に記載の識別情報生成装置。
【請求項１０】
前記生成モジュールはさらに、新たに送信された前記識別情報生成規則と記憶されている識別情報生成規則とが整合しない場合、新たに送信された前記識別情報生成規則に基づいて新しい識別情報を生成し、
前記関連記憶モジュールはさらに、新しい識別情報と新たに送信された前記識別情報生成規則とを関連付けて記憶し、
前記処理モジュールはさらに、新しい識別情報を現在の識別情報として用いることを特徴とする請求項９に記載の識別情報生成装置。
【請求項１１】
識別情報生成機器であって、処理装置、ネットワークインタフェースおよび記憶装置を含み、前記記憶装置には識別情報生成プログラムが記憶されており、
前記ネットワークインタフェースは、識別情報生成規則が記憶されているサーバーに接続して、当該サーバーとデータ通信を行い、
前記処理装置は識別情報生成プログラムを実行することにより、
サーバーから送信されたデータ採集指令を受信したとき、前記データ採集指令に基づいてデータを採集するステップと、
採集した前記データを記憶するとともに、前記サーバーから識別情報生成規則が送信されるよう、前記データを前記サーバーにアップロードするステップと、
前記サーバーから送信された識別情報生成規則を受信したとき、前記データと前記識別情報生成規則に基づいて、端末の識別情報を生成するステップと、
生成された前記識別情報を記憶して、その後アプリケーションのインストール指令が検出されたとき、記憶されている前記識別情報が現在の識別情報として直接用いられるようにするステップとを実現し、送信された前記識別情報生成規則が変化していないとき、前記識別情報を変化させないことを特徴とする識別情報生成機器。
【請求項１２】
採集されたデータが端末ＭＡＣアドレスである場合、前記処理装置はさらに、前記識別情報生成プログラムを実行して、前記サーバーから送信された識別情報生成規則を受信したとき、前記データと前記識別情報生成規則に基づいて、前記端末の識別情報を生成するステップを実現し、
前記識別情報生成規則が前記端末ＭＡＣアドレスを直接用いることである場合、前記端末ＭＡＣアドレスを前記端末の識別情報として用い、
前記識別情報生成規則が前記端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成することを特徴とする請求項１１に記載の識別情報生成機器。
【請求項１３】
前記サーバーから送信された識別情報生成規則を受信したとき、前記データと前記識別情報生成規則に基づいて前記端末の識別情報を生成する前記ステップの後、前記処理装置はさらに、前記識別情報生成プログラムを実行することにより、生成した前記識別情報と受信した前記識別情報生成規則とを関連付けて記憶するステップを実現することを特徴とする請求項１１に記載の識別情報生成機器。
【請求項１４】
端末が生成した前記識別情報と受信した前記識別情報生成規則とを関連付けて記憶する前記ステップの後、前記処理装置はさらに、前記識別情報生成プログラムを実行することにより、
前記サーバーから新たに識別情報生成規則が送信されたことを検出したとき、新たに送信された前記識別情報生成規則と記憶されている識別情報生成規則とが整合するか否かを判断するステップと、
新たに送信された前記識別情報生成規則と記憶されている識別情報生成規則とが整合した場合、記憶されている識別情報生成規則に関連付けられた識別情報を現在の識別情報として直接用いるステップとを実現することを特徴とする請求項１３に記載の識別情報生成機器。
【請求項１５】
新たに送信された前記識別情報生成規則と記憶されている識別情報生成規則とが整合するか否かを判断する前記ステップの後、前記処理装置はさらに、前記識別情報生成プログラムを実行することにより、
新たに送信された前記識別情報生成規則と記憶されている識別情報生成規則とが整合しない場合、新たに送信された前記識別情報生成規則に基づいて新しい識別情報を生成するステップと、
新しい識別情報と新たに送信された前記識別情報生成規則とを関連付けて記憶するとともに、新しい識別情報を現在の識別情報として用いるステップとを実現することを特徴とする請求項１４に記載の識別情報生成機器。
【請求項１６】
サーバーから送信されたデータ採集指令を受信したとき、前記データ採集指令に基づいてデータを採集するステップと、
採集された前記データを記憶するとともに、前記サーバーから識別情報生成規則が送信されるよう、前記データを前記サーバーにアップロードするステップと、
前記サーバーから送信された識別情報生成規則を受信したとき、前記データと前記識別情報生成規則に基づいて端末の識別情報を生成するステップと、
生成された前記識別情報を記憶して、その後アプリケーションのインストール指令が検出されたとき、記憶されている前記識別情報が現在の識別情報として直接用いられるようにするステップとをコンピュータに実行させ、送信された前記識別情報生成規則が変化していないとき、前記識別情報を変化させないことを特徴とする識別情報生成プログラム。
【請求項１７】
採集されたデータが端末ＭＡＣアドレスである場合、前記サーバーから送信された識別情報生成規則を受信したとき、前記データと前記識別情報生成規則に基づいて前記端末の識別情報を生成するステップをコンピュータに実行させ、
前記識別情報生成規則が前記端末ＭＡＣアドレスを直接用いることである場合、前記端末ＭＡＣアドレスを前記端末の識別情報として用い、
前記識別情報生成規則が前記端末ＭＡＣアドレスに対して暗号化処理を行うことである場合、所定の暗号化アルゴリズムを用いて前記端末ＭＡＣアドレスに対して暗号化処理を行うことにより、前記端末の識別情報を生成することを特徴とする請求項１６に記載の識別情報生成プログラム。
【請求項１８】
前記サーバーから送信された識別情報生成規則を受信したとき、前記データと前記識別情報生成規則に基づいて前記端末の識別情報を生成する前記ステップの後、生成した前記識別情報と受信した前記識別情報生成規則とを関連付けて記憶するステップをさらにコンピュータに実行させる請求項１６に記載の識別情報生成プログラム。
【請求項１９】
前記端末が生成した前記識別情報と受信した前記識別情報生成規則とを関連付けて記憶する前記ステップの後、
前記サーバーから新たに識別情報生成規則が送信されたことを検出したとき、新たに送信された前記識別情報生成規則と記憶されている識別情報生成規則とが整合するか否かを判断するステップと、
新たに送信された前記識別情報生成規則と記憶されている識別情報生成規則とが整合したとき、記憶されている識別情報生成規則に関連付けられた識別情報を現在の識別情報として直接用いるステップとをさらにコンピュータに実行させる請求項１８に記載の識別情報生成プログラム。
【請求項２０】
新たに送信された前記識別情報生成規則と記憶されている識別情報生成規則とが整合するか否かを判断する前記ステップの後、
新たに送信された前記識別情報生成規則と記憶されている識別情報生成規則とが整合しない場合、新たに送信された前記識別情報生成規則に基づいて新しい識別情報を生成するステップと、
新しい識別情報と新たに送信された前記識別情報生成規則とを関連付けて記憶するとともに、新しい識別情報を現在の識別情報として用いるステップとをさらにコンピュータに実行させる請求項１９に記載の識別情報生成プログラム。
【請求項２１】
請求項１６から２０のいずれか１項に記載の識別情報生成プログラムを記憶したコンピュータ読み取り可能記憶媒体。
【手続補正３】
【補正対象書類名】明細書
【補正対象項目名】０００２
【補正方法】変更
【補正の内容】
【０００２】
本発明は、通信技術に関し、特に、識別情報生成方法、識別情報生成装置、識別情報生成機器、識別情報生成プログラムおよびコンピュータ読み取り可能記憶媒体に関する。
【手続補正４】
【補正対象書類名】明細書
【補正対象項目名】０００４
【補正方法】変更
【補正の内容】
【０００４】
本発明の目的は、従来の識別情報生成方法の安定性がよくないという問題を解決することができる、識別情報生成方法、識別情報生成装置、識別情報生成機器、識別情報生成プログラムおよびコンピュータ読み取り可能記憶媒体を提供することにある。
【手続補正５】
【補正対象書類名】明細書
【補正対象項目名】０００６
【補正方法】変更
【補正の内容】
【０００６】
また、上記目的を実現するため、本発明は識別情報生成装置を提供する。前記識別情報生成装置は、サーバーから送信されたデータ採集指令を受信したとき、前記データ採集指令に基づいてデータを採集する採集モジュールと、採集した前記データを記憶する記憶モジュールと、前記サーバーから識別情報生成規則が送信されるよう、前記データを前記サーバーにアップロードするアップロードモジュールと、前記サーバーから送信された識別情報生成規則を受信したとき、前記データと前記識別情報生成規則に基づいて端末の識別情報を生成する生成モジュールと、さらに、生成された前記識別情報を記憶する前記記憶モジュールと、アプリケーションのインストール指令が検出されたとき、記憶されている前記識別情報を現在の識別情報として直接用いる処理モジュールとを含み、送信された前記識別情報生成規則が変化しないとき、前記識別情報を変化させない。
【手続補正６】
【補正対象書類名】明細書
【補正対象項目名】０００７
【補正方法】変更
【補正の内容】
【０００７】
また、上記目的を実現するため、本発明は識別情報生成機器を提供する。前記識別情報生成機器は、処理装置、ネットワークインタフェースおよび記憶装置を含み、前記記憶装置には識別情報生成プログラムが記憶されており、前記ネットワークインタフェースは、識別情報生成規則が記憶されているサーバーに接続して、当該サーバーとデータ通信を行い、前記処理装置は前記識別情報生成プログラムを実行することにより、サーバーから送信されたデータ採集指令を受信したとき、前記データ採集指令に基づいてデータを採集するステップと、採集した前記データを記憶するとともに、前記サーバーから識別情報生成規則が送信されるよう、前記データを前記サーバーにアップロードするステップと、前記サーバーから送信された識別情報生成規則を受信したとき、前記データと前記識別情報生成規則に基づいて、端末の識別情報を生成するステップと、生成された前記識別情報を記憶するステップとを実現し、その後アプリケーションのインストール指令が検出されたとき、記憶されている前記識別情報を現在の識別情報として直接用い、送信された前記識別情報生成規則が変化していないとき、前記識別情報を変化させない。
【手続補正７】
【補正対象書類名】明細書
【補正対象項目名】０００８
【補正方法】変更
【補正の内容】
【０００８】
また、上記目的を実現するため、本発明は識別情報生成プログラムを提供する。前記識別情報生成プログラムは、サーバーから送信されたデータ採集指令を受信したとき、前記データ採集指令に基づいてデータを採集するステップと、採集された前記データを記憶するとともに、前記サーバーから識別情報生成規則が送信されるよう、前記データを前記サーバーにアップロードするステップと、前記サーバーから送信された識別情報生成規則を受信したとき、前記データと前記識別情報生成規則に基づいて端末の識別情報を生成するステップと、生成された前記識別情報を記憶して、その後アプリケーションのインストール指令が検出されたとき、記憶されている前記識別情報が現在の識別情報として直接用いられるようにするステップとをコンピュータに実行させ、送信された前記識別情報生成規則が変化していないとき、前記識別情報を変化させない。
【手続補正８】
【補正対象書類名】明細書
【補正対象項目名】０００９
【補正方法】変更
【補正の内容】
【０００９】
本発明の識別情報生成方法、識別情報生成装置、識別情報生成機器、識別情報生成プログラムおよびコンピュータ読み取り可能記憶媒体は、サーバーから送信されたデータ採集指令を受信したとき、まず前記データ採集指令に基づいてデータを採集し、次に採集した前記データを記憶するとともに、前記サーバーから識別情報生成規則が送信されるよう、前記データを前記サーバーにアップロードし、前記サーバーから送信された識別情報生成規則を受信したとき、前記データと前記識別情報生成規則に基づいて端末の識別情報を生成し、最後に生成された前記識別情報を記憶し、その後アプリケーションのインストール指令が検出されたとき、記憶されている前記識別情報を現在の識別情報として直接用いるものであり、アプリケーションを再インストールするとき、ＡＰＩインタフェースの乱数を呼び出して新しい識別情報を生成する必要がない。本発明においては、サーバーから送信された識別情報生成規則と端末が採集したデータとが変化しないとき、取得された識別情報は変化しないので、識別情報の生成の安定性を確保することができる。
【手続補正９】
【補正対象書類名】明細書
【補正対象項目名】００２９
【補正方法】変更
【補正の内容】
【００２９】
さらに、第一実施例に基づいて、本発明の識別情報生成方法の第二実施例を提供する。図２に示すように、本実施例においては、前記ステップＳ４０の後に、前記端末が、生成した前記識別情報と受信した前記識別情報生成規則とを関連付けて記憶するステップＳ５０をさらに含む。
【手続補正１０】
【補正対象書類名】明細書
【補正対象項目名】００７３
【補正方法】変更
【補正の内容】
【００７３】
図８に示すとおり、コンピュータ読み取り可能記憶媒体である記憶装置１００３には、オペレーティングシステム、ネットワーク通信モジュールおよび識別情報生成プログラムを含むことができる。オペレーティングシステムは、識別情報生成機器のハードウェアおよびソフトウェアリソースを管理、制御するプログラムであり、ネットワーク通信モジュール、識別情報生成プログラム、およびその他のプログラムまたはソフトウェアの実行をサポートする。ネットワーク通信モジュールはネットワークインタフェース１００２を管理、制御する。 
【国際調査報告】
2019501427.tif 000011
2019501427.tif 000012
2019501427.tif 000013
2019501427.tif 000014